(57)【要約】【課題】優れた機能を発揮する潮受けストッパーを提供する。【解決手段】釣り糸が挿通する通し孔１１を有し、通し孔１１の方向に沿って一端１２側から他端１３側へかけてその直径が漸増するように成形された外周面１４を有する中実ゴム体でなる。大径の端面に凹陥部１５が形成されている。凹陥部１５は、浅いお椀型を呈する断面円弧状に成形され、そのお椀型の底部中心に通し孔１１が貫通形成される。外周面１４の直径は、通し孔１１の方向に沿った外周面１４の稜線がなだらかな湾曲線を描くように変化する。潮受けストッパー１０を所定位置に固定することにより、水中では凹陥部１５で効率よく潮を受け、釣り用仕掛けを素早くかつ安定して潮に乗せる。【選択図】図１
2005143383.tif 000002
【特許請求の範囲】
【請求項１】
釣り糸が挿通する通し孔を有し、この通し孔の方向に沿って一端側から他端側へかけてその直径が作る稜線がなだらかな湾曲線を描くように漸増変化するように成形された中実素材よりなり、大径の端面に凹陥部が形成されていることを特徴とする潮受けストッパー。
【請求項２】
前記凹陥部は、お椀状を呈する断面円弧状に成形され、そのお椀の底部中心に前記通し孔が貫通形成されていることを特徴とする請求項１に記載の潮受けストッパー。
【請求項３】
その比重が海水比重と同程度に制御され、素材変更または重量物の混入もしくは重量物の装着により浮力調整可能であることを特徴とする請求項１または２に記載の潮受けストッパー。
【発明の詳細な説明】
【技術分野】
【０００１】
本発明は、釣り用仕掛けにおいて釣り糸の所定位置に固定し、浮きの落下を防止する道具として使用される所謂、ストッパーに関するものである。
【背景技術】
【０００２】
たとえば中通し浮き等を釣り用仕掛けに装着する際、この種のストッパーが使用される。この場合、釣り糸が挿通しているストッパーの小孔に所謂からまん棒を挿入し、両端に使用したストッパーの弾力によって釣り糸に固着させ、スイベルの上にセットする浮きの傷つき防止や、仕掛けがらみの原因となる浮きの落下防止等の役目をさせていた。
【発明の開示】
【発明が解決しようとする課題】
【０００３】
従来のストッパーは、単に浮きの傷つき防止や落下防止機能等を具備すればほぼ十分であり、一定の機能性に限定されていた。また、その寸法やサイズ等はかなり小さいものであったため、この種のオモリを付けない釣り用仕掛けを素早く深みに送り込んだり、潮に乗せることや、投入時のからみ防止や水中での安定性維持、十分な視認性を確保することができなかった。
【０００４】
そこで本発明は、従来実現されていなかった優れた機能を発揮する潮受けストッパーを提供することを目的とする。
【課題を解決するための手段】
【０００５】
本発明の潮受けストッパーは、釣り糸が挿通する通し孔を有し、この通し孔の方向に沿って一端側から他端側へかけてその直径が作る稜線がなだらかな湾曲線を描くように漸増変化するように成形された中実素材よりなり、大径の端面に凹陥部が形成されていることを特徴とする。
【０００６】
また、本発明の潮受けストッパーにおいて、前記凹陥部は、お椀状を呈する断面円弧状に成形され、そのお椀の底部中心に前記通し孔が貫通形成されていることを特徴とする。
【０００７】
また、本発明の潮受けストッパーにおいて、その比重が海水比重と同程度に制御され、素材変更または重量物の混入もしくは重量物の装着により浮力調整可能であることを特徴とする。
【発明の効果】
【０００８】
本発明によれば、形状中心に糸通し穴を有し、大径の端面には凹陥部を形成することにより、視認性の増大とともに深みの潮を捕らえる力で浮きが風で流されるのを防止し、かつ浮き底部の形状にフィットすることで投入時の仕掛けがらみを防止し、安定した仕掛けの使用性を確保する。
また、水中では凹陥部で効率よく潮を受け、ハリスにガン玉を付けなくとも軽い仕掛けを深みに送り込むことができる。さらに、外周面の稜線を仕掛けが入り易いテーパ状にすることで魚がエサを口にした時の違和感を抑える機能が付加される。
【発明を実施するための最良の形態】
【０００９】
以下、図面に基き、本発明による潮受けストッパーにおける好適な実施の形態を説明する。
図１は、本発明の実施形態における潮受けストッパーの代表的構成例を示し、図２は、その他に採用し得る形態を示している。図１において潮受けストッパー１０は、その外観が概略裁頭円錐状を呈している。また、素材の比重は好ましくは海水に近似したものが公的である。
【００１０】
潮受けストッパー１０の中心部には釣り糸が挿通する通し孔１１が形成され、この通し孔１１の方向に沿って一端１２側から他端１３側へかけてその直径が漸増するように成形された外周面１４を有する。他端１３側、すなわち大径の端面には凹陥部１５が形成されている。
【００１１】
凹陥部１５は、浅いお椀型を呈する断面円弧状に成形され、そのお椀型の底部中心に通し孔１１が貫通形成されている。外周面１４の直径は、通し孔１１の方向に沿った外周面１４の稜線１４ａ（図１（ｂ）参照）がなだらかな湾曲線を描くように変化する。すなわち、一端１２側では上に凹状の緩やかな曲線となり、他端１３側では上に凸状の緩やかな曲線となり、これらの曲線が中間部付近で滑らかに繋がる湾曲線を有する。
【００１２】
なお、図１に示されるように潮受けストッパー１０は、従来例のストッパー１００（２点鎖線参照）よりもかなり大きな寸法、サイズを有し、図示例では小径の一端１２側がストッパー１００の最大寸法に匹敵する程度に設定される。
【００１３】
ここで、図３は本発明の実施形態における潮受けストッパー１０を適用した仕掛け１の例を示している。この釣り用仕掛け１において、道糸（釣り糸）２に浮き止め糸３を結び、順次シモリ玉４、たとえば中通し浮き５、潮受けストッパー１０を取り付け、道糸２の先端に結び６を介してハリス７が直結される。ハリス７の先端に釣り針８を有するとともに、その途中適所に所謂ガン玉（錘）９が取り付けられる。
【００１４】
なお、潮受けストッパー１０を取り付ける場合、たとえば図４（ａ）に示すように浮き落下防止具（「からまん棒」等と称する）２０を使用するとよい。この例の浮き落下防止具２０は鍔部２０ａの両側に延出する棒状部２０ｂを有し、釣り糸（道糸２）が挿通する通し孔１１に一方の棒状部２０ｂを挿入することにより、潮受けストッパー１０を固定することができる。本実施形態では、潮受けストッパー１０の一端１２側が鍔部２０ａに当たるように取り付け、さらに他方の棒状部２０ｂをストッパー１００の小孔（通し孔）に挿入することで潮受けストッパー１０が仕掛けに固定される。
【００１５】
実使用に際して、キャスティング時には中通し浮き５を潮受けストッパー１０の他端１３側で受け止め、中通し浮き５がハリス７側へずれ落ちるのを抑止して糸絡みを有効に防止することができる。その場合、潮受けストッパー１０は大型であるから優れたクッション作用を発揮する。
【００１６】
キャスティング後、水中ではお椀型の凹陥部１５で効率よく水を受け止め、釣り用仕掛け１０および餌を潮の流れに素早くかつ安定して乗せることができる。その際、寸法サイズや嵩が大きいため視認性に優れ、水中でもよく目立つので潮の流れの方向や速さ等を正確に把握することができる。
【００１７】
また、潮受け効果が大きいため、言わば水中アンカーとして機能する。つまり強風時等においては釣り糸に当たる風で仕掛けが引っ張られ、浮き上がってしまうことがあるが、水中で潮を受ける潮受けウキゴム１０がその風による引張りに対して抵抗力となり、強風時等においても釣り用仕掛け１を安定させることができる。また、この例のように浮き落下防止具２０等と組み合せて使用する場合、潮受けウキゴム１０自体の比重が比較的小さく、全体としての浮力が極めて小さくなるため高感度の仕掛けを実現することができる。
【００１８】
つぎに、本発明の潮受けストッパー１０を適用した仕掛けのその他の代表的な例を説明する。
たとえば図５（ａ）において２つの潮受けストッパー１０を用い、それぞれの他端１３側同士が向き合うように道糸２に取り付けられる。この場合、前述した浮き落下防止具２０を使用し、両側の棒状部２０ｂを各潮受けウキゴム１０の通し孔１１に挿入することで図示のような形態で取り付けることができる。
【００１９】
また、この例では異なる色の２つの潮受けストッパー１０を用い、すなわちたとえば一方の潮受けストッパー１０は蛍光色のオレンジとし、他方の潮受けストッパー１０は蛍光色のイエローにするとよい。そして、たとえばイエローのものを上側に、オレンジのものを下側にそれぞれ配置するが、この上下の配置関係は逆であってもよい。
【００２０】
この例によれば、２色の原色系蛍光色を組み合せ、しかも全体の体積が従来のものに比べて４倍程度になっているので、水中での視認性が格段に向上する。このように極めて目立つようにすることで、潮の流れの方向や速さ等を把握する上で極めて効果的である。
【００２１】
また、たとえば図５（ｂ）において２つの潮受けストッパー１０を用い、それぞれの他端１３が上側に配置されるように道糸２に取り付けられる。この場合、原色系蛍光色を使用し、その組み合せとしては上下の潮受けストッパー１０に対してたとえばレッド−レッド、レッド−イエロー、イエロー−レッドとする。なお、これらの色および組み合せにのみ限定されるものではない。
【００２２】
この例によれば、２色の原色系蛍光色を効果的に組み合せ、水中での視認性を大幅に向上させる。また、２つの潮受けストッパー１０の大径の他端１３が共に上側に配置される２連形態であるため、潮受け効果も極めて大きい。
【００２３】
また、たとえば図５（ｃ）において２つの潮受けストッパー１０を用い、それぞれが浮き等の固定具（「仕掛けヨージ」等と称する）２１によって道糸２あるいはハリス７に取り付けられる。この場合、図４（ｂ）に示されるように固定具２１を潮受けストッパー１０の通し孔１１に挿入することで、釣り糸の所望の位置に潮受けストッパー１０を固定することができる。
【００２４】
この例によれば、上記の例と同様に原色系蛍光色を組み合せ、さらに２連以上の形態とすることで潮受け効果を大きくし、強風時の対策等として有効である。なお、上述の場合と同様に優れた潮受け効果が得られるのは勿論である。
【００２５】
また、たとえば図５（ｄ）において水中浮き２２を使用するとともに、道糸２の先端に所謂、スイベル２３を介してハリス７が連結される。この場合、潮受けストッパー１０の通し孔１１に道糸２が挿通し、該潮受けストッパー１０は水中浮き２２とスイベル２３の間に配置される。
【００２６】
この例によれば、寸法サイズや嵩が大きい潮受けストッパー１０をスイベル２３の上に配置することで、その上の水中浮き２２に対して安定したクッション作用を発揮する。なお、水中浮きを使用せずに図５（ｅ）のように設定することもできる。
【００２７】
上述のように本発明の好適な実施形態を説明したが、本発明は上述した実施形態にのみ限定されるものではなく、必要に応じて適宜変更等が可能である。
たとえば、潮受けストッパー１０の具体的寸法あるいは色等は、上述の実施形態の場合の他、適宜変更可能である。また、潮受けストッパー１０の形成材料等についても実施形態の場合の他、それと同等なものを採用可能であり、いずれの場合も上記実施形態と同様な作用効果を得ることができる。
【図面の簡単な説明】
【００２８】
【図１】本発明の実施形態における潮受けストッパーの代表的構成例を示す図である。
【図２】本発明の実施形態における潮受けストッパーのその他の形態を示す図である。
【図３】本発明の実施形態における潮受けストッパーを適用した仕掛けの例を示す斜視図である。
【図４】本発明の実施形態における潮受けストッパーの取付例を示すそれぞれ斜視図である。
【図５】本発明の実施形態における潮受けストッパーを適用したその他の仕掛けの例を示すそれぞれ斜視図である。
【符号の説明】
【００２９】
１  釣り用仕掛け
２  道糸
３  浮き止め糸
４  シモリ玉
５  中通し浮き
６  直結
７  ハリス
８  釣り針
９  ガン玉
１０  潮受けストッパー
１１  通し孔
１２  一端
１３  他端
１４  外周面
１５  凹陥部
２０  浮き落下防止具
２１  固定具
２２  水中浮き
２３  スイベル
１００  ふかせウキゴム
【図１】
2005143383.tif 000003
【図２】
2005143383.tif 000004
【図３】
2005143383.tif 000005
【図４】
2005143383.tif 000006
【図５】
2005143383.tif 000007